(57)【要約】【課題】簡易な構成で、誰でも容易に、且つ、安全に作業ができ、また、例えば、市販のシャコ万力を用いて製造すれば、製造コストも抑えることができるピン抜き冶具を提供する。【解決手段】汚泥かき寄せ機用チェーン２４の連結部２２に用いられる連結ピン２０を抜くための冶具であって、両アーム１２を有するコ字状のフレーム１４を具備し、フレーム１４の一方側の先端部には、ネジ孔を設けてネジ軸１６を螺合し、フレーム１４の他方側の先端部には、連結ピン２０を抜き出すための鋼管１８を設け、フレーム１４の内側に汚泥かき寄せ機用チェーン２４の連結部２２を挟み、ネジ軸１６を連結ピン２０側に向かって螺進させることにより、ネジ軸１６の先端にて連結ピン２０の先端を押圧し、連結ピン２０を汚泥かき寄せ機用チェーン２４の連結部２２から抜き取る構成とした。【選択図】図１
2020175475.tif 000002
【特許請求の範囲】
【請求項１】
汚泥かき寄せ機用チェーンの連結部に用いられる連結ピンのピン抜き冶具であって、
両アームを有するコ字状のフレームを具備し、
前記フレームの一方側の先端部には、ネジ孔を設けてネジ軸を螺合し、
前記フレームの他方側の先端部には、前記連結ピンを抜き出すための鋼管を設け、
前記フレームの内側に前記汚泥かき寄せ機用チェーンの連結部を挟み、前記ネジ軸を前記連結ピン側に向かって螺進させることにより、当該ネジ軸の先端にて前記連結ピンの先端を押圧し、前記連結ピンを前記汚泥かき寄せ機用チェーンの連結部から抜き取る構成となっていることを特徴とする連結ピンのピン抜き冶具。
【請求項２】
前記ネジ軸の先端には、前記連結ピンの先端に被嵌配置可能な突起部が設けられていることを特徴とする請求項１記載のピン抜き冶具。
【請求項３】
前記鋼管は、その内側において、当該鋼管を前記汚泥かき寄せ機用チェーンの連結部に形成された凸状部に嵌合配置可能な凹形状が設けられていることを特徴とする請求項１又は２記載のピン抜き冶具。
【請求項４】
前記ネジ軸の先端近傍には、前記連結ピンからの前記ネジ軸の脱落を防止するための筒状の誘導管が周設されていることを特徴とする請求項１〜３何れか１項記載のピン抜き冶具。
【発明の詳細な説明】
【技術分野】
【０００１】
本発明は、汚泥かき寄せ機用チェーンの各チェーン同士の連結部に用いられる連結ピンのピン抜き冶具に関するものである。
【背景技術】
【０００２】
汚泥かき寄せ機は、沈殿池底に沈降堆積した汚泥を浮上させることなく、沈殿池内の汚泥ピットまでかき寄せる設備である。沈殿池の形状には、矩形、円形があり、それらの形状に合わせてチェーンフライト式（図７）、回転式、サイホン式等が使用される。
【０００３】
従来から、矩形の沈殿池用汚泥かき寄せ機の中でも、より安定的な汚泥のかきとりが可能とされるチェーンフライト式は、経年使用によりチェーンに伸びが生じるため、作業者が、計画的にチェーンの状態確認を行い、規定以上に伸びていれば、チェーンを連結する連結ピンを抜いてコマ詰め（チェーンリンクの抜き取り・取り付け）を行う。
【０００４】
このコマ詰めは、図８に示すように、チェーンの連結部分のピンをハンマーでたたくことで抜き出し、新しいチェーンと交換して、再度ピンを取り付けるといった作業となる。また、近年広く使われている合成樹脂製のチェーンは、設置後数か月程度で初期伸びが発生し、コマ詰めによる調整が必要となることから、維持管理におけるチェーンのコマ詰め作業回数が増加傾向にある。
【０００５】
従来のチェーンのコマ詰め作業は、大きく分けて５つの工程からなり、チェーンの２リンク抜き取り及び１リンク取り付けの作業を行う場合、図９、１０に示すようになる。つまり、図９に示すように、まず工程１（作業時間２分）で、切継ぎを行うチェーンの前後のチェーンにワイヤーロープを掛け、工程２（作業時間３分）で、レバーブロック（登録商標）でワイヤーロープを引っ張り、切継ぎ部にチェーンの張力がかからないように固定する。
【０００６】
続いて、工程３（作業時間２０分）で、ハンマーを用い、チェーンを連結しているピンを抜き、図１０に示すように、工程４（作業時間１分）で、ピンを抜いたチェーンを取り外し、工程５（作業時間５分）で、１リンクを取り付け、ピンを挿入するという流れである。
【０００７】
このコマ詰め作業は、その都度、沈殿池を排水してから行っており、従来の方法では、作業時間が長く、水処理機能に影響を与えることが少なくなかった。加えて、コマ詰め作業に慣れていない作業者は、例えば、ピンを抜く際に、ハンマーで手を打ち付けてしまうなど、怪我をする危険もあり（特に、ステンレス製のチェーンの場合、ピンが固着して抜けにくくなっていることが多く、その傾向が強い）、作業効率を上げるためには、経験と知識が必要であることから、一般的な作業者であっても作業時間を短縮させることができる工夫や、作業の安全性を向上させる技術の開発が望まれていた。
【０００８】
また、例えば、特許文献１には、連結ピンを抜く際に、ハンマーで打撃するため、予期せず生じるリンクプレートの破損を招かないようにするために用いられる、チェーンのリンク同士を連結する連結ピンをリンクから取り外す際に使用する冶具に関する発明が開示されている。
【先行技術文献】
【特許文献】
【０００９】
【特許文献１】特開２０１３−２２３８８９号公報
【発明の概要】
【発明が解決しようとする課題】
【００１０】
しかしながら、上記の特許文献１に記載の発明のような技術は、構造が複雑であり、作業者が容易に使用することができないとされ、また、製造コストも高くなってしまうという点が指摘されていた。
【００１１】
本発明は、上述の課題を解決するためのもので、簡易な構成で、誰でも容易に、且つ、安全に作業ができ、また、例えば、市販のシャコ万力を用いて製造すれば、製造コストも抑えることができるピン抜き冶具を提供することにある。
【課題を解決するための手段】
【００１２】
上述の課題に対応するため、本発明は、以下の技術的手段を講じている。
即ち、請求項１記載の発明は、汚泥かき寄せ機用チェーンの連結部に用いられる連結ピンのピン抜き冶具であって、両アームを有するコ字状のフレームを具備し、前記フレームの一方側の先端部には、ネジ孔を設けてネジ軸を螺合し、前記フレームの他方側の先端部には、前記連結ピンを抜き出すための鋼管を設け、前記フレームの内側に前記汚泥かき寄せ機用チェーンの連結部を挟み、前記ネジ軸を前記連結ピン側に向かって螺進させることにより、当該ネジ軸の先端にて前記連結ピンの先端を押圧し、前記連結ピンを前記汚泥かき寄せ機用チェーンの連結部から抜き取る構成となっていることを特徴とするピン抜き冶具である。
【００１３】
また、請求項２記載の発明は、請求項１記載のピン抜き冶具であって、前記ネジ軸の先端には、前記連結ピンの先端に被嵌配置可能な突起部が設けられていることを特徴としている。
【００１４】
そして、請求項３記載の発明は、請求項１又は２記載のピン抜き冶具であって、前記鋼管は、その内側において、当該鋼管を前記汚泥かき寄せ機用チェーンの連結部に形成された凸状部に嵌合配置可能な凹形状が設けられていることを特徴としている。
【００１５】
また、請求項４記載の発明は、請求項１〜３何れか１項記載のピン抜き冶具であって、前記ネジ軸の先端近傍には、前記連結ピンからの前記ネジ軸の脱落を防止するための筒状の誘導管が周設されていることを特徴としている。
【発明の効果】
【００１６】
本発明によれば、汚泥かき寄せ機用チェーンの連結部に用いられる連結ピンを抜き出す作業を簡易な構成で、容易に、且つ、安全に行うことができ、また、冶具自体の製造コストも抑えられる。
【図面の簡単な説明】
【００１７】
【図１】本発明に係るピン抜き冶具の第１実施形態を示した図である。
【図２】本発明に係るピン抜き冶具の第２実施形態を示した図である。
【図３】本発明に係るピン抜き冶具の第３実施形態を示した図である。
【図４】本発明に係るピン抜き冶具の第２実施形態の使用状態及び構造を示した図で、ネジ軸と連結ピンの配置関係を示したものである。
【図５】本発明に係るピン抜き冶具の第２実施形態の使用状態及び構造を示した図で、電動ドライバーによりネジ軸を螺進させている状態を示したものである。
【図６】本発明に係るピン抜き冶具の第２実施形態の使用状態及び構造を示した図で、鋼管と連結部の配置関係を示したものである。
【図７】従来から用いられているチェーンフライト式の汚泥かき寄せ機を示した図で、（ａ）は汚泥かき寄せ機の概略図、（ｂ）は汚泥かき寄せ機に用いられるチェーンの構造を示した図ある。
【図８】従来から用いられているチェーンフライト式の汚泥かき寄せ機用チェーンのコマ詰め作業を示した図である。
【図９】従来から用いられているチェーンフライト式の汚泥かき寄せ機用チェーンのコマ詰め作業の工程（１〜３）を示した図である。
【図１０】従来から用いられているチェーンフライト式の汚泥かき寄せ機用チェーンのコマ詰め作業の工程（４〜５）を示した図である。
【発明を実施するための形態】
【００１８】
本発明に係るピン抜き冶具の第１の実施形態について、図面を参照しながら説明する。図１は、本発明に係るピン抜き冶具の第１実施形態を示した図で、符号は、１０がピン抜き冶具、１２がアーム、１４がフレーム、１６がネジ軸、１８が鋼管、２０が連結ピン、２２が連結部、２４が汚泥かき寄せ機用チェーンを示している。
【００１９】
本実施形態におけるピン抜き冶具１０は、図１に示すように、汚泥かき寄せ機用チェーン２４の連結部２２に用いられる連結ピン２０を抜くための冶具であって、両アーム１２を有するコ字状のフレーム１４を具備し、フレーム１４の一方側の先端部には、ネジ孔を設けてネジ軸１６を螺合し、フレーム１４の他方側の先端部には、連結ピン２０を抜き出すための鋼管１８を設け、フレーム１４の内側に汚泥かき寄せ機用チェーン２４の連結部２２を挟み、ネジ軸１６を連結ピン２０側に向かって螺進させることにより、ネジ軸１６の先端にて連結ピン２０の先端を押圧し、連結ピン２０を汚泥かき寄せ機用チェーン２４の連結部２２から抜き取る構成となっている。
【００２０】
このような構成となっていることから、作業者が、ハンマーなどを用いなくとも、容易に連結ピン２０を汚泥かき寄せ機用チェーン２４の連結部２２から抜き取ることができるため、作業時間も縮小し、さらに、安全に作業を行うことができるようになる。また、汚泥かき寄せ機用チェーン２４を新しいものに交換する際、本実施形態におけるピン抜き冶具１０を図１とは左右逆となるように配置し、ネジ軸１６を連結部２２に取り付ける連結ピン２０に当てた状態で、連結ピン２０側に向かって螺進させれば、連結ピン２０を汚泥かき寄せ機用チェーン２４の連結部２２に容易に挿入することもできる。
【００２１】
続いて、本発明に係るピン抜き冶具の第２の実施形態について、図面を参照しながら説明する。図２は、本発明に係るピン抜き冶具の第２実施形態を示した図で、符号については、２６が突起部、２８が凹凸形状部である以外は、図１と同様である。
【００２２】
本実施形態におけるピン抜き冶具１０は、図２に示すように、汚泥かき寄せ機用チェーン２４の連結部２２に用いられる連結ピン２０を抜くための冶具であって、両アーム１２を有するコ字状のフレーム１４を具備し、フレーム１４の一方側の先端部には、ネジ孔を設けてネジ軸１６を螺合し、フレーム１４の他方側の先端部には、連結ピン２０を抜き出すための鋼管１８を設け、フレーム１４の内側に汚泥かき寄せ機用チェーン２４の連結部２２を挟み、ネジ軸１６を連結ピン２０側に向かって螺進させることにより、ネジ軸１６の先端にて連結ピン２０の先端を押圧し、連結ピン２０を汚泥かき寄せ機用チェーン２４の連結部２２から抜き取る構成となっており、さらに、ネジ軸１６の先端に、連結ピン２０の先端に被嵌配置可能な突起部２６が設けられ、また、鋼管１８の内側に、汚泥かき寄せ機用チェーン２４の連結部２２に形成された凸状部に嵌合配置可能な凹形状部２８が設けられている。
【００２３】
本実施形態におけるピン抜き冶具１０の具体的な使用方法は、まず、図２に示すように、フレーム１４の内側に汚泥かき寄せ機用チェーン２４の連結部２２を挟みこみ、ネジ軸１６を連結ピン２０側に向かって螺進させる。そして、図４に示すように、ネジ軸１６の先端の突起部２６（図中、ネジ部先端の突起）を連結ピン２０の先端に被嵌配置させた状態で、さらに、螺進させる。すると、最終的には、図５に示すように、連結ピン２０は、鋼管１８を通じて、外側へと抜け落ちる（抜き取られる）。なお、例えば、合成樹脂製の汚泥かき寄せ機用チェーン２４は、その材質上、ネジ軸１６と、連結ピン２０が外れやすいが、突起部２６に連結ピン２０の先端に被嵌させるよう配置すれば、ネジ軸１６の先端が、連結ピン２０から外れにくくなる。
【００２４】
ここで、例えば、図５に示すように、ネジ軸１６の螺進作業を電動ドライバーにより行えば、さらに作業時間の短縮が図れる。また、図６に示すように、鋼管１８の内側に設けられた凹形状部２８（図中、チェーンの形に合わせた凹凸）を、しっかりと、汚泥かき寄せ機用チェーン２４の連結部２２に形成された凸状部に嵌合配置させておけば、汚泥かき寄せ機用チェーン２４から、ピン抜き冶具１０が、外れるのを効果的に防止することができる。
【００２５】
続いて、本発明に係るピン抜き冶具の第３の実施形態について、図面を参照しながら説明する。図３は、本発明に係るピン抜き冶具の第３実施形態を示した図で、符号については、３０が誘導管である以外は、図１と同様である。
【００２６】
本実施形態におけるピン抜き冶具１０は、図３に示すように、汚泥かき寄せ機用チェーン２４の連結部２２に用いられる連結ピン２０を抜くための冶具であって、両アーム１２を有するコ字状のフレーム１４を具備し、フレーム１４の一方側の先端部には、ネジ孔を設けてネジ軸１６を螺合し、フレーム１４の他方側の先端部には、連結ピン２０を抜き出すための鋼管１８を設け、フレーム１４の内側に汚泥かき寄せ機用チェーン２４の連結部２２を挟み、ネジ軸１６を連結ピン２０側に向かって螺進させることにより、ネジ軸１６の先端にて連結ピン２０の先端を押圧し、連結ピン２０を汚泥かき寄せ機用チェーン２４の連結部２２から抜き取る構成となっており、さらに、ネジ軸１６の先端近傍に、連結ピン２０からのネジ軸１６の脱落を防ぐための筒状の誘導管３０が周設されている。
【００２７】
つまり、本実施形態におけるピン抜き冶具１０は、図３に示すように、誘導管３０が、ネジ軸１６の先端近傍を抑えることにより、ネジ軸１６の、連結ピン２０からの脱落を防止し、容易に連結ピン２０の抜き出し作業が行えるようになっているわけである。
【符号の説明】
【００２８】
１０  ピン抜き冶具
１２  アーム
１４  フレーム
１６  ネジ軸
１８  鋼管
２０  連結ピン
２２  連結部
２４  汚泥かき寄せ機用チェーン
２６  突起部
２８  凹形状部
３０  誘導管
【図１】
2020175475.tif 000003
【図２】
2020175475.tif 000004
【図３】
2020175475.tif 000005
【図４】
2020175475.tif 000006
【図５】
2020175475.tif 000007
【図６】
2020175475.tif 000008
【図７】
2020175475.tif 000009
【図８】
2020175475.tif 000010
【図９】
2020175475.tif 000011
【図１０】
2020175475.tif 000012